(57)【特許請求の範囲】
【請求項１】
水導出管部を備えた栓本体に、弁座と、スプリングの付勢力によって弁座流路を上流側から閉栓するスライド弁体とを内蔵すると共に、栓本体の弁座下流側で且つ弁座流路に連通するよう水導出管部の吐水口に至る流路途中に、筒状のストレーナを弁座の流路中心と同芯状に内蔵し、更に、このストレーナを外部操作によって軸線方向に移動させて、ストレーナの筒状端部を弁座または弁座まわりの栓本体部分に当接させるキャップを、水封手段を介して栓本体に螺着し、かつ、このキャップの水封状態での往復移動に伴って、往動時に前記スライド弁体を前記スプリングの付勢力に抗して上流側に移動させ、前記弁座流路を開栓し復動時には前記スプリングの付勢力によって前記スライド弁体を下流側に移動させ、前記弁座流路を閉栓させるよう構成され、
さらに、前記キャップの中央部に、このキャップを貫通させる状態で、水封手段を介して外部操作可能にネジ部材を螺着し、かつ、このネジ部材の栓本体内部側に、開栓状態において水導出管部の吐水口に至る流路の流量を調整する流量調整部を外部に抜け出し不能に設けて成ることを特徴とする流量調整機能を付加したストレーナ付き止水栓。
【発明の詳細な説明】
【０００１】
【発明の属する技術分野】
本発明は、流量調整機能を付加したストレーナを内蔵した止水栓に関するものである。
【０００２】
【従来の技術】
上記のストレーナを内蔵した止水栓（以下、ストレーナ付き止水栓と言う。）は、例えば水洗トイレの貯水タンクへの給水管途中などに設けられるもので、図６に示す構成のものが広く採用されている。
【０００３】
この図６において、図中の４１は給水用と吐水用の管部４２，４３を備えた栓本体、４４は栓本体４１に内蔵された筒状のストレーナ、４５は栓本体４１に螺着されたストレーナキャップで、ストレーナ４４を保持するための環状の凹部４６と、外部操作用の円板工具（一般にはコインが利用される。）の差し込み溝４７が形成されている。
【０００４】
４８は止水を含む流量調整用の弁機構で、キャップ４５の軸線と同芯状の流路を有する弁座４９を、栓本体４１に対してストレーナ内蔵部の上流側に形成すると共に、この弁座４９とキャップ４５との間に、キャップ４５の軸線と同芯状の雌ねじ部５０を形成し、かつ、この雌ねじ部５０に螺着の栓棒５１の一端側に、弁座流路を下流側から閉栓可能な流量調整弁体５２を保持する一方、栓棒５１の他端側を、Ｏリングによる水封手段５３を介してキャップ中央部の抜き孔５４に挿通し、更に、止水を含む流量調整を外部操作で行えるように、ドライバーなどの工具の差し込み溝５５を栓棒５１の他端側の面部に形成して成る。
【０００５】
５６は逆止弁機構で、ストレーナ内蔵部の下流側に形成された弁座５７と、この弁座５７の流路を下流側から閉栓可能な弁体５８と、この弁体５８の弁棒５９をスライド可能に保持するキャップ６０と、弁体５７を閉栓方向に付勢するスプリング６１とから成る。
【０００６】
【発明が解決しようとする課題】
上記構成のストレーナ付き止水栓において、ストレーナ４４の交換やクリーニングなどを行う際には、コイン形状の円板工具とドライバーなどの工具とを用意して、先ずは栓棒５１を締め込んで、弁座４９の流路を弁体５２で閉じ、次いでストレーナキャップ４５を取り外して、ストレーナ４４を抜き出すのであるが、往々にして弁体５２による弁座４９の閉栓操作を失念して、いきなりストレーナキャップ４５を取り外すことがあり、この際、水圧が強いことから、元栓を閉じないことには、キャップ４５を基に戻すことは殆ど不能であって、衣服を濡らしたり、周りを水浸しにしてしまう問題があった。
【０００７】
また、ストレーナ４４のクリーニングなどを終えて、キャップ４５を元に戻した際には、当然ながら栓棒５１を操作して、通水のための弁座流路の開栓作業を要したのである。
【０００８】
本発明は、かゝる実情に鑑みて成されたものであって、その目的は、ストレーナの取り出しに際しての閉栓の操作が不要で、従って、周りを不測に水浸しにする事故が生じず、しかも、ストレーナを元に戻した際の開栓の操作も不要にした取り扱い面で好適な流量調整機能を付加したストレーナ付きの止水栓を提供する点にある。
【０００９】
【課題を解決するための手段】
本発明による流量調整機能を付加したストレーナ付き止水栓は、水導出管部を備えた栓本体に、弁座と、スプリングの付勢力によって弁座流路を上流側から閉栓するスライド弁体とを内蔵すると共に、栓本体の弁座下流側で且つ弁座流路に連通するよう水導出管部の吐水口に至る流路途中に、筒状のストレーナを弁座の流路中心と同芯状に内蔵し、更に、このストレーナを外部操作によって軸線方向に移動させて、ストレーナの筒状端部を弁座または弁座まわりの栓本体部分に当接させるキャップを、水封手段を介して栓本体に螺着し、かつ、このキャップの水封状態での往復移動に伴って、往動時に前記スライド弁体を前記スプリングの付勢力に抗して上流側に移動させ、前記弁座流路を開栓し復動時には前記スプリングの付勢力によって前記スライド弁体を下流側に移動させ、前記弁座流路を閉栓させるよう構成され、
さらに、前記キャップの中央部に、このキャップを貫通させる状態で、水封手段を介して外部操作可能にネジ部材を螺着し、かつ、このネジ部材の栓本体内部側に、開栓状態において水導出管部の吐水口に至る流路の流量を調整する流量調整部を外部に抜け出し不能に設けて成る点に特徴がある（請求項１）。
【００１０】
上記の特徴構成によれば、必要に応じてストレーナを取り出す際に、栓本体からストレーナキャップを取り外すと、取り外し完了前のキャップ水封の状態で、弁体がスプリングの付勢力によって自動的に閉栓されることから、従来のような閉栓の失念による水浸しの事故などが確実に防止される。
【００１１】
また、ストレーナを元に戻す際の栓本体に対するキャップの螺着に伴って、弁体が自動的に開栓されることから、本発明のストレーナ付き止水栓によれば、水浸しの事故防止などに加えて、止水のための閉栓ならびに通水のための開栓の作業が一切不要となる。
【００１２】
【００１３】
【００１４】
【発明の実施の形態】
以下、本発明の実施の形態を図面に基づいて説明する。図１〜図４は参考例を示している。図５は、本発明の一実施形態に係る流量調整機能を付加したストレーナ付き止水栓を示す。
図１は流量調整機能を備えていないストレーナ付き止水栓１を示す断面図、図２はストレーナの取り出し状態を示す止水栓１の断面図である。
【００１５】
これらの図において、図中の２は栓本体で、雄ねじ部３が形成された水導入管部４と、雌ねじ部５が形成されたキャップ装着管部６とを、同芯状に有すると共に、両管部４，６の途中に、流路中心を水導入管部４の流路中心に直交させる状態で、雄ねじ部７を備えた水導出管部８を連設して成る。
【００１６】
キャップ装着管部６の端部側内面には、雌ねじ部５の谷径よりも大径のストレート管部９が形成されており、水導出管部７の連設部よりも上流側の水導入管部４の内面には、２個の段部ａ，ｂを形成するために、弁体内蔵管部１０よりも小径の管部１１が上流側に、かつ、弁体内蔵管部１０よりも大径の管部１２が下流側に、それぞれ形成されており、更に、大径管部１２の下流側部分には雌ねじ部１３が形成されている。
【００１７】
１４は止水用のＯリングｃを備えた弁座、１５は弁座流路ｉを上流側から閉栓するスライド弁体（以下、単に弁体という）で、弁座１４の弁シートに当接するＯリングｄを備えている。１６は弁体１５を弁座１４側に向けて付勢するスプリングで、このスプリング１６を段部ａと弁体１４との間に位置させるように、スプリング１６と弁体１５とを、この順に水導入管部４に内蔵し、次いで弁体１５を、これの上流側端部を段部ｂに当接させるように、雌ねじ部１３に螺着している。
【００１８】
１７は筒状のストレーナで、多数の小孔ｅが形成された金属製（錆にくいステンレスが好適であるが、材質は不問であり、以下、同じ。）の筒体１８と、この筒体１８まわりの金属製の筒状メッシュ１９とによって、ストレーナ本体２０を形成すると共に、このストレーナ本体２０の一端側（弁座１３側）に金属製のリング２１を設け、かつ、ストレーナ本体２０の他端側に、外周面部に環状の突起ｆを膨出した合成樹脂製のリング２２を設けて成る。
【００１９】
このストレーナ１７は、弁座１４の下流側で且つ弁座流路ｉに連通するよう水導出管部８の吐水口に至る流路ｊ途中に、弁座１４の流路中心と同芯状に内蔵される。
【００２０】
２３はストレーナキャップで、キャップ装着管部６の雌ねじ部５に螺着される雄ねじ部２４と、キャップ装着管部６のストレート管部８に対する水封手段（例えばＯリング）２５を保持するための環状凹部２６と、筒状のストレーナ１７の嵌合保持凹部２７、及び、外部操作用の円板工具の差し込み溝２８が形成されている。
【００２１】
上記のストレーナ１７を栓本体２に内蔵するに際して、環状突起ｆを弾性変形させる状態で、ストレーナ１７の端部リング２２をストレーナキャップ２３の凹部２７に圧入し、ストレーナ１７とキャップ２３とを一体化させて、ストレーナ１７をキャップ装着管部６に挿通し、かつ、キャップ２３を雄ねじ部５に螺着する。
【００２２】
従って、ストレーナ１７は、キャップ２３の軸線方向への往復移動に伴って一体に移動するのであって、キャップ２３の締め込み方向の往動によって、一端側の金属製リング２１が弁座１４まわりの栓本体部分２Ａに当接（弁座１４を当接対象にしてもよい。）するように構成されている。
【００２３】
そして、弁座１４の流路下流側に突出してリング２１側に屈曲する突出部材３０を弁体１５に連設する一方、この突出部材３０の屈曲部ｈに下流側から係止する係止部材３１を、ストレーナ１７の金属製リング２１に連設してあり、前記屈曲部ｈと係止部材３１とスプリング１６とによってキャップ２３の往復移動に伴って弁体１５を開閉させることがてきる。
【００２４】
上記構成のストレーナ付き止水栓１において、弁体１５による弁座流路の閉栓状態で、水封手段２５によるキャップ装着管部６の水封が保持されるように、キャップ装着管部６に対する水封手段２５の水封のストロークＬを、弁体１５による弁座流路の開閉ストロークＬ１よりも大に設定しており、従って、ストレーナ１７の交換やクリーニングなど、ストレーナ１７を栓本体２の外部に取り出す際に、コイン形状の円板工具を溝２８に差し込んで、キャップ２３を締め込み方向とは逆方向に復動させると、屈曲部ｈに対する係止部材３１の係止位置が下流側に移動して、ストレーナキャップ２３の取り外し完了前に、すなわちキャップ水封の状態で、スプリング１６の付勢力により、弁座１４の流路が弁体１５によって自動的に閉栓されることになる。
【００２５】
一方、ストレーナ１７を一体に保持したキャップ２３をキャップ装着管部６に螺着すると、このキャップ２３の締め込み方向の往動に伴って、ストレーナ１７のリング２１に連設した係止部材３１が突出部材３０の屈曲部ｈに係止し、更なるキャップ２３の往動に伴って、弁体１５がスプリング１６の付勢力に抗して上流側にスライドし、弁座１４の流路が開栓されるのであって、最終的には、ストレーナ１７のリング２１が栓本体部分２Ａに着座する。
【００２６】
要約すれば、栓本体２からのストレーナ１７の取り出しに伴って、取り出し完了前に弁座流路が自動的に閉栓され、栓本体２へのストレーナ１７の装着に伴って弁座流路が開栓されるのであって、従来のストレーナ付き止水栓に比較して、不測な水浸しの事故防止はもとより、止水のための閉栓ならびに通水のための開栓の作業が一切不要となり、取り扱い面で好適なストレーナ付き止水栓１が提供される。
【００２７】
また、図３に示すストレーナ付き止水栓１は、弁体１５に連設されてキャップ２３に当接する突出部材３２を備えている。また、図４に示すストレーナ付き止水栓１は、キャップ２３に連設されて弁体１５に係止する押圧部材３３を備えている。
【００２８】
図５は、本発明の一実施形態に係る流量調整機能を付加したストレーナ付き止水栓１’を示している。なお、図５において、図１〜図４に示した符号と同一のものは、同一又は相当物である。
この止水栓１’は、図１に示した構成のストレーナ付き止水栓１を用いて、これのキャップ２３の中央部に、このキャップ２３を貫通させる状態で、例えばＯリングによる水封手段３４を介してネジ部材３５を螺着すると共に、このネジ部材３５の一端側の栓本体２内部に、流量調整部３７を外部に抜け出し不能に設け、かつ、ネジ部材３５の他端側に、このネジ部材３５を外部操作するためのドライバーなどの工具の差し込み溝３８を形成して成る。
【００２９】
上記構成の流量調整機能を付加したストレーナ付き止水栓１’において、図１，２に示した屈曲部ｈと係止部材３１に代えて図３及び図４に示した突出部材３２及び押圧部材３３をそれぞれ装備可能である。この際、図３では、弁体１５に連設の突出部材３２を流量調整部３７に当接させるようにし、図４では、弁体１５に係止する押圧部材３３を流量調整部３７に連設するものとする。
【００３０】
【発明の効果】
以上説明したように、本発明によれば、水浸しの事故防止はもとより、止水のための閉栓ならびに通水のための開栓の作業が一切不要な、取り扱い面で好適な流量調整の機能が付加されたストレーナ付き止水栓が提供される。
【図面の簡単な説明】
【図１】  参考例として示すストレーナ付き止水栓の断面図である。
【図２】  ストレーナの取り出し状態を示す前記ストレーナ付き止水栓の断面図である。
【図３】  別の参考例として示すストレーナ付き止水栓の断面図である。
【図４】  更に別の参考例として示すストレーナ付き止水栓の断面図である。
【図５】  本発明の一実施形態に係る流量調整機能を付加したストレーナ付き止水栓の断面図である。
【図６】  従来例のストレーナ付き止水栓の断面図である。
【符号の説明】
１’…流量調整機能を付加したストレーナ付き止水栓、２…栓本体、１４…弁座、１５…スライド弁体、１６…スプリング、１７…ストレーナ、２３…キャップ、２５，３４…水封手段、３０，３２…突出部材、３１…係止部材、３５…ネジ部材、３７…流量調整部、ｉ…弁座流路、ｊ…吐水口に至る流路。
【図１】
0004167791.tif 000002
【図２】
0004167791.tif 000003
【図３】
0004167791.tif 000004
【図４】
0004167791.tif 000005
【図５】
0004167791.tif 000006
【図６】
0004167791.tif 000007